(57)【特許請求の範囲】
【請求項１】
表地と裏地との間に保温材が詰められ、詰められた保温材が偏在しないよう縫製により適宜の区画に分けられた衣服部材を用いて作られ、上部構造体（２）と底部（３）とより構成される下半身用防寒具（１）であって、前記上部構造体（２）は、
他の物へ取り付けるための紐を上部に有し、人の足首から背中中央付近までを覆うことが出来る縦長の後部（５０）と、
その両側にそれぞれ延設された左右の側部（３０，６０）と、
それら側部の何れか一方の先に更に延設された前部（２０）と、
該前部（２０）の縦長方向の端縁の内面に設けられた幾つかの第１の係止手段（２１〜２５）と、
該前部（２０）が延設されていない方の側部の外面に設けられ、前記第１の係止手段との係止を行なうための幾つかの第２の係止手段（６１〜６７）と、
前記した２つの側部（３０，６０）の下部前端同士の間を繋ぐよう設けられた足先覆い部（７０）と、
前記した２つの側部（３０，６０），後部（５０）および足先覆い部（７０）のそれぞれの下端により囲まれることにより形成される開口部（７３）の縁に設けられた第１の係合手段（７２）とから構成され、
前記底部（３）は、
略四角形の平面部（８１）と、該平面部の縁に設けられた周縁部（８３）と、該周縁部の上部に設けられた第２の係合手段（８２）とから構成され、
前記第１の係合手段（７２）と第２の係合手段（８２）とを係合させることにより、前記底部（３）を前記上部構造体（２）に取り付け可能とした
ことを特徴とする下半身用防寒具。
【請求項２】
底部（３）の裏面に滑り止め部材を用いたことを特徴とする請求項１記載の下半身用防寒具。
【請求項３】
足先覆い部（７０）の表面に第３の係止手段（７１）を設け、第１の係止手段（２１〜２５）との係止を、第２の係止手段（６１〜６７）と第３の係止手段（７１）とで行なうようにしたことを特徴とする請求項１または２記載の下半身用防寒具。
【請求項４】
係止手段として面ファスナーを用いることを特徴とする請求項１，２または３記載の下半身用防寒具。
【発明の詳細な説明】
【０００１】
【発明の属する技術分野】
本発明は、人の腹の付近から足先までの下半身を暖かく包むことが出来る下半身用防寒具に関するものである。
【０００２】
【従来の技術】
寒さに弱い年寄りや病人が車椅子に乗せられて移動する時には、しばしば下半身用防寒具が使用される。そのような下半身用防寒具として一般によく使用される物には、毛布がある。毛布を使う場合、膝や脚の付近を覆うように単に掛けるか、あるいは下半身に巻き付けるようにして使用される。しかし、もともと下半身専用の防寒具として作られたものではないので、使い勝手が悪く、風が入って来る隙間があちこちに出来易かった。
【０００３】
そこで、従来、下半身専用の防寒具が幾つか提案されて来ている。例えば、次のようなものがある。
（１）第１の従来技術…実用新案登録第３０５００４２号公報
これは、車椅子に乗った時専用の防寒具である。その構造は、膝から下の部分は足の周囲を覆い、膝から腹の付近までは前掛けのように、身体の前の部分および側面の一部だけを覆うようにしたという構造である。
【０００４】
（２）第２の従来技術…特開平１１−３１３７３５号公報
これは、車椅子に乗った時の膝掛けといったものである。これは、膝掛けとして使える長方形の布地を、予め車椅子に紐などによって取り付けておき、車椅子に座った人の膝の両側から該布地を持ち上げ、足首から膝までを包むように重ね合わせ、面ファスナー等で係止するというものである。
【０００５】
（３）第３の従来技術…実用新案登録第３０８０２１７号公報
これも、車椅子に乗った時専用の防寒具である。その構造は、全体としては下半身を入れることが出来る袋状とされたものであり、前部中央の縦方向に長いファスナーが具えられ、足を置く底布の所に横方向に短いファスナーが具えられている。これを使用する場合は、両方のファスナーを開いた状態でその中に身体を入れ、まず、底布の所のファスナーを閉じ、次に前部中央のファスナーを閉じる。
【０００６】
【発明が解決しようとする課題】
しかしながら、前記した従来の技術には、次のような問題点があった。
第１の従来技術では、膝から腹までの部分は身体の前部と一部側面しか覆っていないので、腰は寒気にさらされて相変わらず寒いという問題点があった。
第２の従来技術は、足首から膝までを包んでいるだけなので、足先や腰は寒いという問題点があった。
第３の従来技術は、常に足先まで包み込む袋状になっているので、靴やスリッパを履いたままでの使用には適さないという問題点があった。なぜなら、靴やスリッパを履いたままで使用すると、内部が不潔になってしまうと共に、袋が破れてしまう恐れがあるからである。
本発明は、以上のような問題点を解決することを課題とするものである。
【０００７】
【課題を解決するための手段】
前記課題を解決するため、本発明では、次のような下半身用防寒具を提供することとした。即ち、表地と裏地との間に保温材が詰められ、詰められた保温材が偏在しないよう縫製により適宜の区画に分けられた衣服部材を用いて作られ、上部構造体と底部とより構成される下半身用防寒具であって、前記上部構造体は、他の物へ取り付けるための紐を上部に有し、人の足首から背中中央付近までを覆うことが出来る縦長の後部と、その両側にそれぞれ延設された左右の側部と、それら側部の何れか一方の先に更に延設された前部と、該前部の縦長方向の端縁の内面に設けられた幾つかの第１の係止手段と、該前部が延設されていない方の側部の外面に設けられ、前記第１の係止手段との係止を行なうための幾つかの第２の係止手段と、前記した２つの側部の下部前端同士の間を繋ぐよう設けられた足先覆い部と、前記した２つの側部，後部および足先覆い部のそれぞれの下端により囲まれることにより形成される開口部の縁に設けられた第１の係合手段とから構成され、前記底部３は、略四角形の平面部と、該平面部の縁に設けられた周縁部と、該周縁部の上部に設けられた第２の係合手段とから構成され、前記第１の係合手段と第２の係合手段とを係合させることにより、前記底部３を前記上部構造体２に取り付け可能としたことを特徴とする下半身用防寒具とした。
【０００８】
前記した底部の裏面には、滑り止め部材を用いることが出来る。また、前記足先覆い部の表面に第３の係止手段を設け、前記第１の係止手段との係止を、前記第２の係止手段と第３の係止手段とで行なうようにしてもよい。
なお、前記した各係止手段としては、面ファスナーを用いることが出来る。
【０００９】
（作    用）
本発明の下半身用防寒具を着用する時は、上部構造体の前部を開き、底部に足を乗せて身体を上部構造体の中に入れる。そして、前部で身体の前面を覆い、前部の端縁を係止手段により側部に係止する。これにより、足先から腹あたりまでの下半身が、保温性のある衣服部材により包まれることになるので、防寒性能が極めて高い。
【００１０】
また、着用は、前部の開け閉め操作と係止手段の係止操作とにより行なえるので、本人が着用する場合も簡単であることは勿論、介護者が年寄りや病人に着用させる場合も簡単に行なうことが出来る。
靴やスリッパを履いたままの場合には、底部を上部構造体より取り外し、底部を取り外した開口部から靴等を下に出した状態で着用することが出来るので、内部が不潔になってしまったり、底部が破れてしまうことがない。
なお、上部構造体の後部に付けられているひもにより、必要に応じて下半身用防寒具を椅子あるいは車椅子に結び付けておくことが出来る。
【００１１】
【発明の実施の形態】
以下、本発明の実施形態を図面に基づいて詳細に説明する。
図１は、本発明の下半身用防寒具を示す図である。図１において、１は下半身用防寒具、２は上部構造体、３は底部、２０は前部、２１〜２５は面ファスナー（係止手段）、３０は右側部、４０はひも、５０は後部、６０は左側部、６１〜６７は面ファスナー（係止手段）、７０は足先覆い部、７１は面ファスナー（係止手段）、７２はファスナー（係合手段）、８１は平面部、８２はファスナー（係合手段）、８３は周縁部、９０は縫い目である。
【００１２】
本発明の下半身用防寒具１は、上部構造体２と底部３とより構成される。図１では、底部３は上部構造体２と分離して描かれているが、ファスナー７２，８２を係合させることにより、上部構造体２に合体し得る。
上部構造体２は、概略次のものから構成される。即ち、人の足首から背中中央付近までを覆うことが出来る縦長の後部５０と、その両側にそれぞれ延設される右側部３０および左側部６０と、右側部３０の先に更に延設される前部２０と、右側部３０の下部前端と左側部６０の下部前端との間を繋ぐよう設けられた足先覆い部７０とからである。（なお、図１では、前部２０は右側部３０に延設される例を示しているが、左側部６０の方に延設するようにすることも出来る。）
【００１３】
使われる衣服部材は、表地と裏地との間に綿や羽毛等の保温材が詰められており、詰められた保温材が偏在してしまわないよう、縫製により適宜の区画に分けられている部材である。縫い目９０により分けられた区画は、その区画を表している。
後部５０は、前記したように、利用する人の足首の背部から背中中央部までを覆うための部分であるが、その両側に延設された右側部３０，左側部６０は、利用者の足首から両脇までの身体の側面を覆うための部分である。前部２０は、利用者の足首から腹までの身体の前面を覆うための部分であり、足先覆い部７０は、開口部７３に入れた足の先の部分を覆うための部分である。
【００１４】
前部２０，右側部３０，後部５０，左側部６０の上部の幅は、下部の幅に比べてやや幅広にする。なぜなら、人の身体は、足首部分より腰や腹の部分の方が太くなっているので、それらを包むのには、上部を幅広にする必要があるからである。
前部２０の縦の端縁近くの内面には、面ファスナー２１〜２５を縫製等により取り付ける。また、左側部６０の縦の端縁近くの外面には、面ファスナー６１〜６７を縫製等により取り付ける。これらの面ファスナーは、前部２０で利用者の前面を覆った後、前部２０の端縁を左側部６０の外面に係止するためのものである。
【００１５】
なお、左側部６０の面ファスナーは２列とされている部分があるが（面ファスナー６１〜６３の列と６５〜６７の列が並んでいる部分）、太っている人と痩せている人とで使い分けることが出来るようにしたためである。太っている人の場合、面ファスナー２１〜２３は面ファスナー６１〜６３に係止する。痩せている人の場合、面ファスナー２１〜２３は面ファスナー６５〜６７に係止する。
足先覆い部７０の上面の左側部６０側にも、面ファスナー７１が取り付けられる。これには、前部２０の最下部の面ファスナー２５が係止される。面ファスナー７１およびそれに対応させた面ファスナー２５は、それらの直ぐ上の面ファスナー２４と６４との係止では、隙間風の侵入を充分に防ぎ得ないと思われる場合に取り付ければ良いものである。従って、必須のものではなく、必要に応じて設ければよいものである。
【００１６】
上述した面ファスナーは、他の面ファスナーに重ねて押圧することにより係止を行なうことが出来、それから引き剥がすことにより係止を解除することが出来る構造の係止手段である。ここでは、面ファスナーは係止手段の１例として例示しているだけであって、他の係止手段（例、ホック，ボタン等）を用いることも出来る。
【００１７】
底部３は、足を置く部分である。底部３の平面形状は略四角形をしており、その縁には上に向かって僅かの高さ（約１〜２ｃｍ程度）の周縁部８３が設けられている。平面部８１には保温材が詰められ、ふかふかと柔らかい感触となるようにされている。そして、周縁部８３の上部にはファスナー８２が設けられている。
一方、上部構造体２の下端には、右側部３０，後部５０，左側部６０および足先覆い部７０の下端で囲まれることにより、開口部７３が形成される。この開口部７３の縁にも、ファスナー７２が設けられる。
底部３のファスナー８２と、開口部７３のファスナー７２とを係合させることにより、底部３は上部構造体２に合体させられる。
図３は、そのようにして底部３を上部構造体２に合体した状態を示す図である。
なお、ファスナーは係合手段の１例として例示しているだけであり、他の係合手段を用いることも出来る。
【００１８】
本発明の下半身用防寒具は、必要に応じて底部３を分離した状態で使うことも出来るし、合体した状態で使うことも出来る。
汚れた靴やスリッパを履いたままで利用したい時は、底部３を分離しておき、足を開口部７３に通し下方へ出す。そうすれば、底部３が靴等で汚されたり、破られたりすることがない。靴等を履いていない場合には、底部３を合体しておき、足を開口部７３から入れて底部３の平面部８１の上に乗せる。
なお、上部構造体２の外面（例えば、前部２０の外面）に適宜ポケットを設けておき（後で示す図４に出て来るポケット２６参照）、分離した底部３はその中に入れて置くようにしておけば、紛失を防止できる。
【００１９】
図２は、本発明の下半身用防寒具の底部３の裏面を示す図である。８４は底部裏面であるが、ここには滑り止めとなるような性質を有する部材を使うことが望ましい。その理由は、車椅子に乗る場合、底部裏面８４は車椅子の足置き板に乗せるわけであるが、滑り易いと安定性が悪く危険だからである。また、最近の病院や老人施設の床は、つるつるしていて滑り易いからである。
【００２０】
本発明の下半身用防寒具は、年寄りや病人だけに利用し得るものではなく、寒い季節に長時間机に向かって作業をしたり、勉強したりする人にも好適なものである。暖房を強くして部屋全体を温めた場合、脳も温められてしまい、眠気を催したり頭の回転が悪くなったりしてしまう。しかし、本発明の下半身用防寒具を利用した場合、そのようなことはない。
【００２１】
図４は、通常の椅子に座るときに着用した状態を示す図である。符号は図１のものに対応し、４は利用者、２６はポケット、１００は椅子である。下半身用防寒具１の上部構造体２は、その上部にあるひも４０を椅子１００の背もたれに結びつけることにより、椅子１００に取り付けられる。
利用者４は、係止されている面ファスナー２１〜２５を単に引き剥がすという簡単な操作だけで、この下半身用防寒具１から出ることが出来る。また、この席に戻り、下半身用防寒具１の中へ入った時には、面ファスナー２１〜２５を押圧係止するという簡単な操作だけで、下半身用防寒具１を着用することが出来る。
靴を履いている場合には、前記したように底部３は分離しておけばよい。分離した底部３は、適宜設けられたポケット２６に入れておく。
【００２２】
図５は、車椅子に乗るときに着用した状態を示す図である。符号は図４のものに対応し、１０１は車椅子、１０２は足置き板である。
下半身用防寒具１の上部構造体２は、ひも４０により車椅子１０１に取り付けられ、底部３は足置き板１０２の上に乗せられる。もし、利用者４が靴を履いたままの場合、底部３は上部構造体２から分離される。
利用者４をこの下半身用防寒具１から出たり入ったりさせる要領は、図４で述べたのと同様である。即ち、面ファスナーを引き剥がしたり押圧係止するという簡単な操作だけでよく、介護する人の負担は軽い。
なお、下半身用防寒具１に使用している衣服部材は特殊な部材ではないので、家庭でクリーニングすることも出来る。
【００２３】
【発明の効果】
以上述べた如く、本発明の下半身用防寒具によれば、次のような効果を奏する。
（１）請求項１の発明の効果
▲１▼身体の出し入れがし易い。
下半身用防寒具１への身体の出し入れは前部２０を開いて行なうが、前部２０は足元から上全部が横方向に大きく開く構造となっているので、身体の出し入れがし易い。
【００２４】
▲２▼簡単な操作により着用することが出来る。
着用は、前部２０の開け閉め操作と係止手段（面ファスナー等）の係止操作とにより行なう。そのため、本人が着用する場合も簡単であるが、介護者が年寄りや病人に着用させる場合も簡単に行なうことが出来る。
▲３▼防寒性能が極めて高い。
足先から腹あたりまでの下半身が、保温性のある衣服部材により包まれることになるので、防寒性能が極めて高い。
【００２５】
▲４▼椅子や車椅子に取り付けたままで、着用することが出来る。
上部構造体２の後部５０に付けられているひも４０により、下半身用防寒具１を椅子あるいは車椅子に結び付けておくことが出来、この状態で前部２０を開け閉めして着用することが出来る。
【００２６】
（２）請求項２の発明の効果
前記（１）項に記載の効果の他、底部３の裏面が滑り難くなるという効果を奏する。
（３）請求項３の発明の効果
前記（１），（２）項に記載の効果の他、足首の前付近から入ろうとする隙間風を、より一層防止することが出来るという効果を奏する。
（４）請求項４の発明の効果
前記（１）〜（３）項に記載の効果の他、係止操作が、押圧と引き剥がしという単純な操作により行なうことが出来るという効果を奏する。
【図面の簡単な説明】
【図１】本発明の下半身用防寒具を示す図
【図２】本発明の下半身用防寒具の底部裏面を示す図
【図３】底部を合体させた状態の下半身用防寒具を示す図
【図４】通常の椅子に座るときに着用した状態を示す図
【図５】車椅子に乗るときに着用した状態を示す図
【符号の説明】
１…下半身用防寒具、２…上部構造体、３…底部、４…利用者、２０…前部、２１〜２５…面ファスナー、２６…ポケット、３０…右側部、４０…ひも、５０…後部、６０…左側部、６１〜６７…面ファスナー、７０…足先覆い部、７１…面ファスナー、７２…ファスナー、８１…平面部、８２…ファスナー、８３…周縁部、８４…底部裏面、９０…縫い目、１００…椅子、１０１…車椅子、１０２…足置き板
【図１】
0003625464.tif 000002
【図２】
0003625464.tif 000003
【図３】
0003625464.tif 000004
【図４】
0003625464.tif 000005
【図５】
0003625464.tif 000006